(57)【要約】【課題】操作者が、パラメータ値をコピーしたい撮像パラメータとコピーしたくない撮像パラメータとを容易に指定することができる磁気共鳴イメージング装置を提供すること。【解決手段】実施形態に係る磁気共鳴イメージング装置は、選択部と、特定部と、表示制御部とを備える。選択部は、複数の撮像パラメータを含む撮像条件が設定された複数のシリーズの中から第１のシリーズ及び第２のシリーズを選択する。特定部は、前記第１のシリーズと前記第２のシリーズとの間で異なるパラメータ値が設定されている撮像パラメータを特定する。表示制御部は、前記特定部によって特定された撮像パラメータを表示部に表示する。【選択図】図１
2015000133.tif 000002
【特許請求の範囲】
【請求項１】
複数の撮像パラメータを含む撮像条件が設定された複数のシリーズの中から第１のシリーズ及び第２のシリーズを選択する選択部と、
前記第１のシリーズと前記第２のシリーズとの間で異なるパラメータ値が設定されている撮像パラメータを特定する特定部と、
前記特定部によって特定された撮像パラメータを表示部に表示する表示制御部と
を備えたことを特徴とする磁気共鳴イメージング装置。
【請求項２】
前記表示制御部は、前記複数の撮像パラメータのうち、あらかじめ指定された一部の撮像パラメータを前記表示部に表示することを特徴とする請求項１に記載の磁気共鳴イメージング装置。
【請求項３】
前記表示制御部は、前記複数の撮像パラメータのうち、撮像の目的又は機能に応じて決められた一部の撮像パラメータを前記表示部に表示することを特徴とする請求項１又は２に記載の磁気共鳴イメージング装置。
【請求項４】
前記表示制御部は、前記特定部によって特定された撮像パラメータについて、前記第１のシリーズのパラメータ値に基づいて前記第２のシリーズのパラメータ値を設定できるか否かを判定し、前記第１のシリーズのパラメータ値に基づいて前記第２のシリーズのパラメータ値を設定できるものと、前記第１のシリーズのパラメータ値に基づいて前記第２のシリーズのパラメータ値を設定できないものとを識別可能に表示することを特徴とする請求項１〜３のいずれか一つに記載の磁気共鳴イメージング装置。
【請求項５】
前記表示制御部は、前記第１のシリーズのパラメータ値に基づいて前記第２のシリーズのパラメータ値を設定できると判定した撮像パラメータについて、前記第１のシリーズのパラメータ値と同じ値を前記第２のシリーズのパラメータ値に設定できるものと、前記第１のシリーズのパラメータ値の近傍値を前記第２のシリーズのパラメータ値に適用できるものとを識別可能に表示することを特徴とする請求項４に記載の磁気共鳴イメージング装置。
【請求項６】
前記表示部に表示された撮像パラメータのうち操作者によって指定された撮像パラメータについて、前記第１のシリーズのパラメータ値を前記第２のシリーズのパラメータ値に設定する設定部をさらに備えたことを特徴とする請求項１〜５のいずれか一つに記載の磁気共鳴イメージング装置。
【請求項７】
前記表示制御部は、前記設定部によって前記第１のシリーズのパラメータ値が前記第２のシリーズのパラメータ値に設定された撮像パラメータを識別可能に表示することを特徴とする請求項６に記載の磁気共鳴イメージング装置。
【請求項８】
前記選択部は、前記複数のシリーズの中から複数の第２のシリーズを選択し、
前記特定部は、前記第１のシリーズと前記複数の第２のシリーズそれぞれとの間で異なるパラメータ値が設定されている撮像パラメータを特定する
ことを特徴とする請求項１〜７のいずれか一つに記載の磁気共鳴イメージング装置。
【発明の詳細な説明】
【技術分野】
【０００１】
本発明の実施形態は、磁気共鳴イメージング装置に関する。
【背景技術】
【０００２】
従来、磁気共鳴イメージング装置における撮像条件を設定する方法として、撮像条件が設定済みのシリーズから他のシリーズへ、全ての撮像パラメータのパラメータ値をコピーする方法や、シナリオに応じてあらかじめ設定された撮像パラメータのパラメータ値のみをコピーする方法などがある。このような従来の方法では、コピー後に操作者が一部の撮像パラメータについて手動でパラメータ値を設定する場合があった。
【先行技術文献】
【特許文献】
【０００３】
【特許文献１】特開２０１２−１１０６９３号公報
【発明の概要】
【発明が解決しようとする課題】
【０００４】
本発明が解決しようとする課題は、操作者が、パラメータ値をコピーしたい撮像パラメータとコピーしたくない撮像パラメータとを容易に指定することができる磁気共鳴イメージング装置を提供することである。
【課題を解決するための手段】
【０００５】
実施形態に係る磁気共鳴イメージング（ＭＲＩ：Magnetic  Resonance  Imaging）装置は、選択部と、特定部と、表示制御部とを備える。選択部は、複数の撮像パラメータを含む撮像条件が設定された複数のシリーズの中から第１のシリーズ及び第２のシリーズを選択する。特定部は、前記第１のシリーズと前記第２のシリーズとの間で異なるパラメータ値が設定されている撮像パラメータを特定する。表示制御部は、前記特定部によって特定された撮像パラメータを表示部に表示する。
【図面の簡単な説明】
【０００６】
【図１】図１は、第１の実施形態に係るＭＲＩ装置の構成を示す図である。
【図２】図２は、第１の実施形態に係るＭＲＩ装置の詳細な構成例を示す図である。
【図３】図３は、第１の実施形態に係る編集画面表示部によって表示される編集画面の一例を示す図である。
【図４】図４は、第１の実施形態に係る表示制御部によって表示されるパラメータ画面の一例を示す図（１）である。
【図５】図５は、第１の実施形態に係る表示制御部によって表示されるパラメータ画面の一例を示す図（２）である。
【図６】図６は、第１の実施形態に係る設定部によって行われるパラメータリストの更新の一例を示す図（１）である。
【図７】図７は、第１の実施形態に係る設定部によって行われるパラメータリストの更新の一例を示す図（１）である。
【図８】図８は、第１の実施形態の変形例に係るパラメータリストの表示の一例を示す図である。
【図９】図９は、第１の実施形態に係るＭＲＩ装置によって行われる撮像条件の設定の流れを示すフローチャートである。
【図１０】図１０は、第２の実施形態に係るＭＲＩ装置の詳細な構成例を示す図である。
【図１１】図１１は、第２の実施形態に係るコピーパラメータ記憶部によって記憶されるコピーパラメータの一例を示す図である。
【図１２】図１２は、第２の実施形態に係る特定部によって行われる撮像パラメータの特定を示す図である。
【図１３】図１３は、第２の実施形態に係る選択部によって行われるシリーズ選択の一例を示す図である。
【図１４】図１４は、第３の実施形態に係る表示制御部によって行われる撮像パラメータの特定を示す図である。
【発明を実施するための形態】
【０００７】
以下に、図面に基づいて、ＭＲＩ装置の実施形態を詳細に説明する。
【０００８】
（第１の実施形態）
図１は、第１の実施形態に係るＭＲＩ装置の構成を示す図である。図１に示すように、このＭＲＩ装置１００は、静磁場磁石１、傾斜磁場コイル２、傾斜磁場電源３、寝台４、寝台制御部５、送信ＲＦコイル６、送信部７、受信ＲＦコイル８、受信部９、シーケンス制御部１０、及び計算機システム２０を備える。
【０００９】
静磁場磁石１は、中空の円筒形状に形成された磁石であり、内部の空間に一様な静磁場を発生する。この静磁場磁石１としては、例えば永久磁石、超伝導磁石等が使用される。
【００１０】
傾斜磁場コイル２は、中空の円筒形状に形成されたコイルであり、静磁場磁石１の内側に配置される。この傾斜磁場コイル２は、互いに直交するｘ，ｙ，ｚの各軸に対応する３つのコイルが組み合わされて形成されており、これら３つのコイルは、後述する傾斜磁場電源３から個別に電流供給を受けて、ｘ，ｙ，ｚの各軸に沿って磁場強度が変化する傾斜磁場を発生させる。なお、ｚ軸方向は、静磁場と同方向とする。傾斜磁場電源３は、傾斜磁場コイル２に電流を供給する。
【００１１】
ここで、傾斜磁場コイル２によって発生するｘ，ｙ，ｚ各軸の傾斜磁場は、例えば、スライス選択用傾斜磁場Ｇｓｓ、位相エンコード用傾斜磁場Ｇｐｅ及びリードアウト用傾斜磁場Ｇｒｏにそれぞれ対応する。スライス選択用傾斜磁場Ｇｓｓは、任意に撮像断面を決めるために利用される。位相エンコード用傾斜磁場Ｇｐｅは、空間的位置に応じて磁気共鳴信号の位相を変化させるために利用される。リードアウト用傾斜磁場Ｇｒｏは、空間的位置に応じて磁気共鳴信号の周波数を変化させるために利用される。
【００１２】
寝台４は、被検体Ｐが載置される天板４ａを備え、後述する寝台制御部５による制御のもと、被検体Ｐが載置された状態で天板４ａを傾斜磁場コイル２の空洞（撮像口）内へ挿入する。通常、この寝台４は、長手方向が静磁場磁石１の中心軸と平行になるように設置される。寝台制御部５は、制御部２６による制御のもと、寝台４を制御する装置であり、寝台４を駆動して、天板４ａを長手方向及び上下方向へ移動する。
【００１３】
送信ＲＦコイル６は、傾斜磁場コイル２の内側に配置され、送信部７から供給される高周波パルス電流によりＲＦ（Radio  Frequency）パルス（高周波磁場パルス）を発生する。送信部７は、ラーモア周波数に対応する高周波パルス電流を送信ＲＦコイル６に供給する。受信ＲＦコイル８は、傾斜磁場コイル２の内側に配置され、上記のＲＦパルスの影響によって被検体Ｐから放射される磁気共鳴信号を受信し、受信した磁気共鳴信号を受信部９へ出力する。例えば、受信ＲＦコイル８は、撮像対象の部位ごとに異なる形状のものが用いられ、被検体Ｐの頭部や腹部、脊椎などに装着される。
【００１４】
受信部９は、受信ＲＦコイル８から出力される磁気共鳴信号に基づいて磁気共鳴（Magnetic  Resonance：ＭＲ）信号データを生成する。この受信部９は、受信ＲＦコイル８から出力される磁気共鳴信号をデジタル変換することによってＭＲ信号データを生成する。このＭＲ信号データには、前述したスライス選択用傾斜磁場Ｇｓｓ、位相エンコード用傾斜磁場Ｇｐｅ及びリードアウト用傾斜磁場Ｇｒｏによって、位相エンコード（ＰＥ：Phase  Encode）方向、リードアウト（ＲＯ：Read  Out）方向、スライス選択（ＳＳ：Slice  Selective）方向の空間周波数の情報が対応付けられてｋ空間に配置される。そして、ＭＲ信号データを生成すると、受信部９は、そのＭＲ信号データをシーケンス制御部１０へ送信する。
【００１５】
シーケンス制御部１０は、計算機システム２０から送信されるシーケンス実行データに基づいて、傾斜磁場電源３、送信部７及び受信部９を駆動することによって、被検体Ｐのスキャンを実行する。ここでいうシーケンス実行データとは、傾斜磁場電源３が傾斜磁場コイル２に供給する電源の強さや電源を供給するタイミング、送信部７が送信ＲＦコイル６に送信するＲＦ信号の強さやＲＦ信号を送信するタイミング、受信部９が磁気共鳴信号を検出するタイミングなど、被検体Ｐのスキャンを実行するための手順を示すパルスシーケンスを定義した情報である。なお、シーケンス制御部１０は、シーケンス実行データに基づいて傾斜磁場電源３、送信部７及び受信部９を駆動した後に、受信部９からＭＲ信号データが送信されると、そのＭＲ信号データを計算機システム２０へ転送する。
【００１６】
計算機システム２０は、ＭＲＩ装置１００の全体制御を行う。例えば、計算機システム２０は、ＭＲＩ装置１００が有する各部を駆動することで、被検体Ｐのスキャンや画像再構成などを行う。この計算機システム２０は、インタフェース部２１、画像再構成部２２、記憶部２３、入力部２４、表示部２５及び制御部２６を有する。
【００１７】
インタフェース部２１は、シーケンス制御部１０との間で授受される各種信号の入出力を制御する。例えば、このインタフェース部２１は、シーケンス制御部１０に対してシーケンス実行データを送信し、シーケンス制御部１０からＭＲ信号データを受信する。ＭＲ信号データを受信すると、インタフェース部２１は、各ＭＲ信号データを被検体Ｐごとに記憶部２３に格納する。
【００１８】
画像再構成部２２は、記憶部２３によって記憶されたＭＲ信号データに対して、後処理、すなわちフーリエ変換等の再構成処理を施すことによって、被検体Ｐ内における所望核スピンのスペクトラムデータ又は画像データを生成する。また、画像再構成部２２は、生成したスペクトラムデータ又は画像データを被検体Ｐごとに記憶部２３に格納する。
【００１９】
記憶部２３は、後述する制御部２６によって実行される処理に必要な各種データや各種プログラムなどを記憶する。例えば、記憶部２３は、インタフェース部２１によって受信されたＭＲ信号データや、画像再構成部２２によって生成されたスペクトラムデータや画像データなどを、被検体Ｐごとに記憶する。この記憶部２３は、例えば、ＲＡＭ（Random  Access  Memory）、ＲＯＭ（Read  Only  Memory）、フラッシュメモリ（flash  memory）などの半導体メモリ素子や、ハードディスク、光ディスクなどの記憶装置である。
【００２０】
入力部２４は、利用者からの各種指示や情報入力を受け付ける。この入力部２４としては、マウスやトラックボールなどのポインティングデバイス、モード切替スイッチ等の選択デバイス、あるいはキーボード等の入力デバイスを適宜に利用可能である。
【００２１】
表示部２５は、制御部２６による制御のもと、スペクトラムデータあるいは画像データ等の各種の情報を表示する。この表示部２５としては、液晶表示器などの表示デバイスを利用可能である。
【００２２】
制御部２６は、図示していないＣＰＵ（Central  Processing  Unit）やメモリ等を有し、ＭＲＩ装置１００の全体制御を行う。この制御部２６は、例えば、入力部２４を介して利用者から入力される撮像条件に基づいて各種のシーケンス実行データを生成し、生成したシーケンス実行データをシーケンス制御部１０に送信することによってスキャンを制御する。また、制御部２６は、スキャンの結果としてシーケンス制御部１０からＭＲ信号データが送られた場合に、そのＭＲ信号データに基づいて画像を再構成するよう画像再構成部２２を制御する。
【００２３】
以上、本実施形態に係るＭＲＩ装置１００の構成について説明した。このような構成のもと、ＭＲＩ装置１００は、撮像条件が設定済みのシリーズから撮像パラメータのパラメータ値を取得し、取得したパラメータ値を他のシリーズの撮像パラメータに設定する機能を有する。
【００２４】
従来、このような撮像条件の設定方法として、撮像条件が設定済みのシリーズから他のシリーズへ、全ての撮像パラメータのパラメータ値をコピーする方法や、シナリオに応じてあらかじめ設定された撮像パラメータのパラメータ値のみをコピーする方法などがある。このような従来の方法では、コピー後に操作者が一部の撮像パラメータについて手動でパラメータ値を設定する場合があった。
【００２５】
例えば、全ての撮像パラメータをコピーする方法では、変更を要さない撮像パラメータについてもパラメータ値がコピーされてしまうため、コピー後に操作者が手動で再設定を行う場合があった。また、シナリオに応じてあらかじめ設定された撮像パラメータのみをコピーする方法では、複数のシナリオについてコピー対象となる撮像パラメータを設定しておく必要があるが、撮像パラメータの数が多いため、全てのシナリオについて適切に撮像パラメータを設定しておくことは難しかった。そのため、コピーされなかった撮像パラメータについては、操作者が手動で設定を行う場合があった。
【００２６】
このような構成のもと、ＭＲＩ装置１００は、複数の撮像パラメータを含む撮像条件が設定された複数のシリーズの中から第１のシリーズ及び第２のシリーズを選択し、第１のシリーズと第２のシリーズとの間で異なるパラメータ値が設定されている撮像パラメータを特定する。そして、ＭＲＩ装置１００は、特定された撮像パラメータを表示部に表示する。
【００２７】
このような構成によれば、少なくとも２つのシリーズの間で異なるパラメータ値が設定されている撮像パラメータが表示されるので、操作者が、パラメータ値をコピーしたい撮像パラメータとコピーしたくない撮像パラメータとを容易に指定することができる。以下では、本実施形態に係るＭＲＩ装置１００の構成についてより詳細に説明する。
【００２８】
図２は、第１の実施形態に係るＭＲＩ装置１００の詳細な構成例を示す図である。なお、図２は、図１に示した計算機システム２０が有する各部のうち、記憶部２３と、入力部２４と、表示部２５と、制御部２６とを示している。
【００２９】
図２に示すように、記憶部２３は、撮像条件記憶部２３ａを有する。
【００３０】
撮像条件記憶部２３ａは、複数の撮像パラメータを含む撮像条件をシリーズごとに記憶する。例えば、撮像条件記憶部２３ａは、シリーズのシリーズ番号及びシリーズ名と、撮像条件とを対応付けて記憶する。ここでいう撮像条件には、例えば、繰り返し時間（ＴＲ：Repetition  Time）やエコー時間（ＴＥ：Echo  Time）、スライス枚数やスライス厚、スライス間隔、ＰＥ撮像領域（ＰＥ方向の撮像領域の大きさ）、ＲＯ撮像領域（ＲＯ方向の撮像領域の大きさ）、フリップ角、フロップ角、Ｇａｔｅ（ゲート情報の有無）、ＦａｔＳａｔ（脂肪抑制の有無）などの各種の撮像パラメータが含まれる。ここで、撮像条件記憶部２３ａに記憶された撮像条件は、撮像が行われる際に制御部２６によって読み出され、前述したシーケンス実行データを生成するために用いられる。
【００３１】
また、制御部２６は、編集画面表示部２６ａと、選択部２６ｂと、特定部２６ｃと、表示制御部２６ｄと、設定部２６ｅとを有する。
【００３２】
編集画面表示部２６ａは、撮像条件に含まれる撮像パラメータのパラメータ値を編集するための編集画面を表示部２５に表示する。具体的には、編集画面表示部２６ａは、入力部２４を介して、撮像条件の編集を開始する旨の指示を操作者から受け付けた場合に、撮像パラメータのパラメータ値を編集するための編集画面を表示部２５に表示する。
【００３３】
図３は、第１の実施形態に係る編集画面表示部２６ａによって表示される編集画面の一例を示す図である。例えば、図３に示すように、編集画面表示部２６ａは、シリーズ領域３１と、パラメータ領域３２と、「パラメータ」ボタン３３と、「保存」ボタン３４とを含んだ編集画面３０を表示部２５に表示する。
【００３４】
シリーズ領域３１は、撮像条件記憶部２３ａによって撮像条件が記憶されているシリーズのリストを表示するための領域である。例えば、シリーズ領域３１は、シリーズ番号を表示するための表示領域３１ａと、シリーズ名を表示するための表示領域３１ｂと、編集シリーズを選択するためのチェックボックス３１ｃと、参照シリーズを選択するためのチェックボックス３１ｄと、適用シリーズを選択するためのチェックボックス３１ｅとを含む。ここで、編集シリーズとは、撮像条件を編集する対象となるシリーズである。また、参照シリーズとは、パラメータ値の取得元となるシリーズである。また、適用シリーズとは、パラメータ値の設定先となるシリーズである。
【００３５】
パラメータ領域３２は、撮像パラメータのパラメータ値を入力するための領域である。例えば、パラメータ領域３２は、パラメータ値が数値である撮像パラメータについて、パラメータ値を入力及び表示するためテキストボックスと、パラメータ値の数値を変更するための上下ボタンとを含む。また、例えば、パラメータ領域３２は、複数の設定値からパラメータ値が選択される撮像パラメータについて、選択された設定値を表示するためのテキストボックスと、選択可能な設定値を列挙したプルダウンリストを表示するためのプルダウンボタンとを含む。
【００３６】
「パラメータ」ボタン３３は、参照シリーズと適用シリーズとの間で異なるパラメータ値が設定されている撮像パラメータのリストを表示する旨の指示を操作者から受け付けるためのボタンである。「保存」ボタン３４は、パラメータ領域３２に表示されているパラメータ値を撮像条件として保存する旨の指示を操作者から受け付けるためのボタンである。
【００３７】
そして、編集画面表示部２６ａは、上述した編集画面３０を表示部２５に表示する際には、撮像条件記憶部２３ａを参照して、撮像条件記憶部２３ａに記憶されているシリーズのシリーズ番号とシリーズ名とをシリーズ領域３１に表示する。
【００３８】
また、編集画面表示部２６ａは、入力部２４を介して、編集画面３０上でいずれかのチェックボックス３１ｃをチェックする操作を受け付けた場合には、シリーズ領域３１に表示されているシリーズのうち、対応するチェックボックス３１ｃがチェックされたシリーズを編集シリーズとして選択する。そして、編集画面表示部２６ａは、編集シリーズに関する撮像条件を撮像条件記憶部２３ａから取得し、取得した撮像条件に含まれる撮像パラメータのパラメータ値をパラメータ領域３２に表示する。
【００３９】
また、編集画面表示部２６ａは、入力部２４を介して、編集画面３０上で「保存」ボタン３４を押す操作を操作者から受け付けた場合には、その時点でパラメータ領域３２に表示されているパラメータ値で、撮像条件記憶部２３ａに記憶されている編集シリーズのパラメータ値を更新する。
【００４０】
図２の説明に戻って、選択部２６ｂは、複数の撮像パラメータを含む撮像条件が設定された複数のシリーズの中から参照シリーズ及び適用シリーズを選択する。具体的には、選択部２６ｂは、入力部２４を介して、編集画面３０上でいずれかのチェックボックス３１ｄをチェックする操作を受け付けた場合に、シリーズ領域３１に表示されているシリーズのうち、対応するチェックボックス３１ｄがチェックされたシリーズを参照シリーズとして選択する。また、選択部２６ｂは、入力部２４を介して、編集画面３０上でいずれかのチェックボックス３１ｅをチェックする操作を受け付けた場合に、シリーズ領域３１に表示されているシリーズのうち、対応するチェックボックス３１ｅがチェックされたシリーズを適用シリーズとして選択する。
【００４１】
特定部２６ｃは、選択部２６ｂによって選択された参照シリーズと適用シリーズとの間で異なるパラメータ値が設定されている撮像パラメータを特定する。具体的には、特定部２６ｃは、入力部２４を介して、編集画面３０上で「パラメータ」ボタン３３を押す操作を操作者から受け付けた場合に、撮像条件記憶部２３ａを参照して、選択部２６ｂによって選択された参照シリーズ及び適用シリーズそれぞれの撮像条件を読み出す。そして、特定部２６ｃは、参照シリーズと適用シリーズとの間で、撮像条件に含まれる撮像パラメータのパラメータ値を比較し、異なるパラメータ値が設定されている撮像パラメータを特定する。
【００４２】
表示制御部２６ｄは、特定部２６ｃによって特定された撮像パラメータを表示部２５に表示する。具体的には、表示制御部２６ｄは、特定部２６ｃによって参照シリーズと適用シリーズとの間で異なるパラメータ値が設定されている撮像パラメータが特定された場合に、特定された撮像パラメータのリストを含んだパラメータ画面を表示部２５に表示する。
【００４３】
図４及び５は、第１の実施形態に係る表示制御部２６ｄによって表示されるパラメータ画面の一例を示す図である。例えば、図４に示すように、表示制御部２６ｄは、パラメータリスト４１と、「やり直し」ボタン４２と、「閉じる」ボタン４３とを含んだパラメータ画面４０を表示部２５に表示する。
【００４４】
パラメータリスト４１は、特定部２６ｃによって特定された撮像パラメータのパラメータ値を表示するとともに、参照シリーズから適用シリーズへパラメータ値を設定する撮像パラメータの指定を受け付けるためのリストである。「やり直し」ボタン４２は、パラメータリスト４１によるパラメータ値の設定をやり直す旨の指示を操作者から受け付けるためのボタンである。「閉じる」ボタン４３は、パラメータ画面４０の表示を終了する旨の指示を操作者から受け付けるためのボタンである。
【００４５】
そして、表示制御部２６ｄは、上述したパラメータ画面４０を表示部２５に表示する際には、特定部２６ｃによって特定された各撮像パラメータについて、パラメータ名と、参照シリーズのパラメータ値と、適用シリーズのパラメータ値とをパラメータリスト４１に表示する。
【００４６】
また、表示制御部２６ｄは、特定部２６ｃによって特定された撮像パラメータについて、参照シリーズのパラメータ値に基づいて適用シリーズのパラメータ値を設定できるか否かを判定し、判定した結果をさらに表示する。具体的には、表示制御部２６ｄは、特定部２６ｃによって特定された撮像パラメータについて、撮像パラメータ間の相関関係に基づいて設定された設定条件に基づいて、パラメータ値の設定可否を判定する。
【００４７】
ここでいう設定条件とは、例えば、パラメータ値が数値である場合は、設定可能な値の最大値や最小値、設定単位であり、パラメータ値があらかじめ決められた複数の設定値から選択されるものである場合は、選択可能な設定値の集合である。例えば、スライス枚数に関する設定条件は、最小値：１、最大値：１２８、設定単位：１のように設定され、スライス厚に関する設定条件は、最小値：１．２ｍｍ、最大値：３０ｍｍ、設定単位：０．１ｍｍのように設定される。また、ゲート情報の設定条件は、｛ＥＣＧ（心電図）、Ｎｏｎｅ（無し）｝のように設定され、ＦａｔＳａｔの設定条件は、｛Ｏｎ、Ｏｆｆ｝のように設定される。なお、これらの設定条件は、設定対象の撮像パラメータと、同じシリーズにおける他の撮像パラメータとの相関関係に応じて決められる。そのため、ある撮像パラメータについてパラメータ値が変更された場合には、その撮像パラメータと相関関係を有する他の撮像パラメータの設定条件も変化することになる。
【００４８】
例えば、表示制御部２６ｄは、特定部２６ｃによって特定された撮像パラメータについて、参照シリーズのパラメータ値に基づいて適用シリーズのパラメータ値を設定できるか否かを判定し、参照シリーズのパラメータ値に基づいて適用シリーズのパラメータ値を設定できるものと、参照シリーズのパラメータ値に基づいて適用シリーズのパラメータ値を設定できないものとを識別可能に表示する。
【００４９】
さらに、表示制御部２６ｄは、参照シリーズのパラメータ値に基づいて適用シリーズのパラメータ値を設定できると判定した撮像パラメータについて、参照シリーズのパラメータ値と同じ値を適用シリーズのパラメータ値に設定できるものと、参照シリーズのパラメータ値の近傍値を適用シリーズのパラメータ値に適用できるものとを識別可能に表示する。
【００５０】
例えば、図５に示すように、表示制御部２６ｄは、適用シリーズの撮像パラメータについて、参照シリーズのパラメータ値と同じ値を適用シリーズのパラメータ値に設定できる第１の撮像パラメータと、参照シリーズのパラメータ値と同じ値を適用シリーズのパラメータ値に設定できる第２の撮像パラメータと、参照シリーズのパラメータ値に基づいて適用シリーズのパラメータ値を設定できない第３の撮像パラメータとを、パラメータリスト４１上で、それぞれ異なる色で表示する。
【００５１】
例えば、ＴＲについて、参照シリーズと同じ「３００」が適用シリーズにも設定できると判定され、スライス枚数について、参照シリーズと同じ「３」が適用シリーズにも設定できると判定されたとする。この場合は、ＴＲ及びスライス枚数は第１のパラメータに該当する。また、スライス厚について、「１」単位でしか指定できないため、参照シリーズと同じ「５．２」は設定できないが、「５」であれば設定できると判定され、フリップ角について、設定できる最小値が「７５」であるため、参照シリーズと同じ「６０」は設定できないが、「７５」であれば適用できると判定されたとする。この場合には、スライス厚及びフリップ角は第２のパラメータに該当する。また、ＦａｔＳａｔについて、参照シリーズと同じ「Ｏｎ」を設定することができないと判定されたとする。この場合には、ＦａｔＳａｔは第３のパラメータに該当する。このような場合には、図５に示すように、表示制御部２６ｄは、適用シリーズのパラメータ値について、ＴＲ及びスライス枚数と、スライス厚及びフリップ角と、ＦａｔＳａｔとをそれぞれ異なる色で表示する。
【００５２】
ここで、前述したように、パラメータ値の設定可否を判定するための設定条件は、撮像パラメータ間の相関関係に応じて変化する。そのため、ある撮像パラメータについてパラメータ値が変更された場合に、その撮像パラメータと相関関係を有する他の撮像パラメータについて、その設定条件が変化する結果、表示されている色が変化する場合もある。
【００５３】
設定部２６ｅは、表示部２５に表示された撮像パラメータのうち操作者によって指定された撮像パラメータについて、参照シリーズのパラメータ値を適用シリーズのパラメータ値に設定する。
【００５４】
具体的には、設定部２６ｅは、入力部２４を介して、パラメータ画面４０に表示されたパラメータリスト４１上で撮像パラメータを指定する操作を操作者から受け付けた場合に、指定された撮像パラメータについて、参照シリーズのパラメータ値を適用シリーズのパラメータ値に設定する。このとき、設定部２６ｅは、指定された撮像パラメータについて、参照シリーズのパラメータ値を内部メモリに保存する。
【００５５】
その後、設定部２６ｅは、特定部２６ｃに対して、参照シリーズと適用シリーズとの間で撮像パラメータのパラメータ値を再度比較し、異なるパラメータ値が設定されている撮像パラメータを特定するよう指示する。そして、特定部２６ｃによって撮像パラメータが特定されると、表示制御部２６ｄによって、特定された撮像パラメータでパラメータリスト４１が更新されることになる。
【００５６】
図６及び７は、第１の実施形態に係る設定部２６ｅによって行われるパラメータリスト４１の更新の一例を示す図である。例えば、図６に示すように、操作者によって、パラメータリスト４１上でスライス枚数が指定されたとする。その場合には、表示制御部２６ｄは、スライス枚数について、参照シリーズのパラメータ値「１２」を適用シリーズのパラメータ値に設定する。これにより、適用シリーズに設定されていたスライス枚数のパラメータ値「３」が「１２」に置き換えられ、参照シリーズ及び適用シリーズそれぞれにおけるスライス枚数のパラメータ値は、どちらも「１２」となる。この結果、例えば、図７に示すように、更新後のパラメータリスト４１では、スライス枚数が表示されないようになる。
【００５７】
また、設定部２６ｅは、入力部２４を介して、パラメータ画面４０上で「やり直し」ボタン４２を押す操作を操作者から受け付けた場合に、内部メモリに保存されているパラメータ値を消去する。さらに、設定部２６ｅは、特定部２６ｃに対して、撮像条件記憶部２３ａから参照シリーズ及び適用シリーズそれぞれの撮像条件を読み出し直したうえで、参照シリーズと適用シリーズとの間で、撮像条件に含まれる撮像パラメータのパラメータ値を比較し、異なるパラメータ値が設定されている撮像パラメータを特定するよう指示する。そして、特定部２６ｃによって撮像パラメータが特定された後に、表示制御部２６ｄによって、特定された撮像パラメータでパラメータリスト４１が更新される。これにより、パラメータリスト４１は、最初に表示されたときの状態に戻ることになる。
【００５８】
また、設定部２６ｅは、入力部２４を介して、パラメータ画面４０上で「閉じる」ボタン４３を押す操作を操作者から受け付けた場合に、パラメータ画面４０の表示を終了する。このとき、設定部２６ｅは、内部メモリに保存されているパラメータ値を、編集画面３０上のパラメータ領域３２に表示されている編集シリーズのパラメータ値に設定する。これにより、例えば、編集シリーズに関する撮像条件の編集中に、参照シリーズのパラメータ値を編集シリーズのパラメータ値に設定することができる。
【００５９】
なお、ここでは、参照シリーズのパラメータ値が適用シリーズのパラメータ値に設定された撮像パラメータを非表示とする場合の例を説明したが、例えば、当該撮像パラメータを表示したままにしてもよい。この場合には、例えば、表示制御部２６ｄが、設定部２６ｅによって参照シリーズのパラメータ値が適用シリーズのパラメータ値に設定された撮像パラメータを識別可能に表示する。
【００６０】
図８は、第１の実施形態の変形例に係るパラメータリスト４１の表示の一例を示す図である。例えば、図８に示すように、表示制御部２６ｄは、設定部２６ｅによって、スライス枚数に関する参照シリーズのパラメータ値「１２」が適用シリーズのパラメータ値に設定された場合に、適用シリーズのパラメータ値を色付けせずに表示する。これにより、参照シリーズから適用シリーズへパラメータ値が設定された撮像パラメータについて、他の撮像パラメータとは区別して表示されるとともに、同じ値が設定されていることが把握できるように表示される。
【００６１】
図９は、第１の実施形態に係るＭＲＩ装置１００によって行われる撮像条件の設定の流れを示すフローチャートである。図９に示すように、ＭＲＩ装置１００では、編集画面表示部２６ａが、撮像条件の編集を開始する旨の指示を操作者から受け付けた場合に（ステップＳ２０１，Ｙｅｓ）、編集画面３０を表示部２５に表示する（ステップＳ２０２）。
【００６２】
続いて、編集画面表示部２６ａは、編集画面３０上でいずれかのチェックボックス３１ｃをチェックする操作を操作者から受け付けた場合に、チェックされたシリーズを編集シリーズとして選択する（ステップＳ２０３）。そして、編集画面表示部２６ａは、編集シリーズに関する撮像条件を撮像条件記憶部２３ａから取得し、取得した撮像条件に含まれる撮像パラメータのパラメータ値をパラメータ領域３２に表示する（ステップＳ２０４）。
【００６３】
続いて、選択部２６ｂが、編集画面３０上でいずれかのチェックボックス３１ｄをチェックする操作を受け付けた場合に、チェックされたシリーズを参照シリーズとして選択し、編集画面３０上でいずれかのチェックボックス３１ｅをチェックする操作を受け付けた場合に、チェックされたシリーズを適用シリーズとして選択する（ステップＳ２０５）。
【００６４】
その後、特定部２６ｃが、編集画面３０上で「パラメータ」ボタン３３を押す操作を操作者から受け付けた場合に（ステップＳ２０６，Ｙｅｓ）、撮像条件記憶部２３ａを参照して、選択部２６ｂによって選択された参照シリーズ及び適用シリーズそれぞれの撮像条件を読み出す（ステップＳ２０７）。そして、特定部２６ｃは、参照シリーズと適用シリーズとの間で、撮像条件に含まれる撮像パラメータのパラメータ値を比較し（ステップＳ２０８）、異なるパラメータ値が設定されている撮像パラメータを特定する（ステップＳ２０９）。
【００６５】
その後、表示制御部２６ｄが、特定部２６ｃによって参照シリーズと適用シリーズとの間で異なるパラメータ値が設定されている撮像パラメータが特定された場合に、特定された撮像パラメータのリストを含んだパラメータ画面を表示部２５に表示する（ステップＳ２１０）。
【００６６】
その後、設定部２６ｅが、パラメータ画面４０に表示されたパラメータリスト４１上で撮像パラメータを指定する操作を操作者から受け付けた場合に（ステップＳ２１１，Ｙｅｓ）、指定された撮像パラメータについて、参照シリーズのパラメータ値を適用シリーズのパラメータ値に設定する（ステップＳ２１２）。このとき、設定部２６ｅは、指定された撮像パラメータについて、参照シリーズのパラメータ値を内部メモリに保存する。
【００６７】
なお、設定部２６ｅは、パラメータリスト４１上で撮像パラメータを指定する操作を受け付けず（ステップＳ２１１，Ｎｏ）、パラメータ画面４０上で「やり直し」ボタン４２を押す操作を操作者から受け付けた場合には（ステップＳ２１３，Ｙｅｓ）、ステップＳ２０８に処理を戻す。このとき、設定部２６ｅは、内部メモリに保存されているパラメータ値を消去する。
【００６８】
また、設定部２６ｅは、ステップＳ２１３で、パラメータ画面４０上で「やり直し」ボタン４２を押す操作を受け付けず（ステップＳ２１３，Ｎｏ）、パラメータ画面４０上で「閉じる」ボタン４３を押す操作を操作者から受け付けた場合には（ステップＳ２１４，Ｙｅｓ）、パラメータ画面４０の表示を終了する（ステップＳ２１５）。このとき、設定部２６ｅは、内部メモリに保存されているパラメータ値を、編集画面３０上のパラメータ領域３２に表示されている編集シリーズのパラメータ値に設定する。
【００６９】
なお、設定部２６ｅは、ステップＳ２１４で、「閉じる」ボタン４３を押す操作を受け付けなかった場合は（ステップＳ２１４，Ｎｏ）、ステップＳ２１１に処理を戻す。
【００７０】
また、ステップＳ２０６で、特定部２６ｃが、編集画面３０上で「パラメータ」ボタン３３を押す操作を受け付けず（ステップＳ２０６，Ｎｏ）、編集画面表示部２６ａが、編集画面３０上で「保存」ボタン３４を押す操作を操作者から受け付けた場合には（ステップＳ２１６，Ｙｅｓ）、その時点でパラメータ領域３２に表示されているパラメータ値で、撮像条件記憶部２３ａに記憶されている編集シリーズのパラメータ値を更新する（ステップＳ２１７）。なお、編集画面表示部２６ａは、編集画面３０上で「保存」ボタン３４を押す操作を受け付けるまでは（ステップＳ２１６，Ｎｏ）、ステップＳ２０６に処理を戻す。
【００７１】
上述したように、第１の実施形態では、参照シリーズと適用シリーズとの間で異なるパラメータ値が設定されている撮像パラメータが表示されるので、操作者が、パラメータ値をコピーしたい撮像パラメータとコピーしたくない撮像パラメータとを容易に指定することができる。
【００７２】
なお、上述した第１の実施形態では、編集シリーズと適用シリーズとが同じである場合の例を説明したが、編集シリーズと参照シリーズとが同じであってもよい。その場合には、設定部２６ｅは、入力部２４を介して、パラメータ画面４０上で「閉じる」ボタン４３を押す操作を操作者から受け付けた場合に、内部メモリに保存されているパラメータ値で、撮像条件記憶部２３ａに記憶されている適用シリーズのパラメータ値を更新する。これにより、例えば、編集シリーズに関する撮像条件の編集中に、編集シリーズのパラメータ値を適用シリーズのパラメータ値に設定することができる。
【００７３】
（第２の実施形態）
次に、第２の実施形態について説明する。第２の実施形態では、複数の撮像パラメータのうち一部の撮像パラメータのみをコピー対象とする場合の例を説明する。なお、第２の実施形態に係るＭＲＩ装置の全体構成は、基本的には図１に示したものと同じであり、計算機システムの構成のみが異なる。また、以下では、図１及び２に示した構成要素と同じ機能を有する構成要素については、同じ符号を付することとして詳細な説明を省略する。
【００７４】
例えば、表示制御部１２６ｄは、複数の撮像パラメータのうち、あらかじめ指定された一部の撮像パラメータを表示部２５に表示する。また、表示制御部１２６ｄは、複数の撮像パラメータのうち、撮像の目的又は機能に応じて決められた一部の撮像パラメータを表示部２５に表示する。
【００７５】
図１０は、第２の実施形態に係るＭＲＩ装置１００の詳細な構成例を示す図である。図１０に示すように、第２の実施形態に係る計算機システム１２０は、記憶部１２３と、入力部２４と、表示部２５と、制御部１２６とを有する。
【００７６】
本実施形態では、記憶部１２３は、撮像条件記憶部２３ａと、コピーパラメータ記憶部１２３ａとを有する。
【００７７】
コピーパラメータ記憶部１２３ａは、複数の撮像パラメータを撮像の目的や機能に応じて複数のグループに分類して記憶する。具体的には、コピーパラメータ記憶部１２３ａは、目的別や機能別などのカテゴリに分類されたグループごとに、参照シリーズから適用シリーズへパラメータ値を設定する撮像パラメータをコピーパラメータとして記憶する。
【００７８】
図１１は、第２の実施形態に係るコピーパラメータ記憶部１２３ａによって記憶されるコピーパラメータの一例を示す図である。図１１に示すように、例えば、コピーパラメータ記憶部１２３ａは、目的別のカテゴリとして分類されたグループとして、「位置」グループや、「分解能」グループ、「コントラスト」グループなどを記憶する。そして、例えば、コピーパラメータ記憶部１２３ａは、「位置」グループのコピーパラメータとして、スライス中心のオフセット（スライス中心と磁場中心との距離）、スライス方向、及び位相エンコード方向を記憶する。また、例えば、コピーパラメータ記憶部１２３ａは、「分解能」グループのコピーパラメータとして、スライス厚、マトリクスの大きさ、及びＦＯＶ（Field  Of  View）を記憶する。また、例えば、コピーパラメータ記憶部１２３ａは、「コントラスト」グループのコピーパラメータとして、ＴＲ、ＴＥ、及びフリップ角を記憶する。
【００７９】
また、例えば、コピーパラメータ記憶部１２３ａは、機能別のカテゴリとして分類されたグループとして、「ＴｉｍｅＳＬＩＰ」グループや、「ＭＲＳ」グループ、「Ｔａｇｇｉｎｇ」グループなどの各種撮像法に基づくグループを記憶する。そして、例えば、コピーパラメータ記憶部１２３ａは、「ＴｉｍｅＳＬＩＰ」グループのコピーパラメータとして、タグ領域及びゲート情報を記憶する。また、例えば、コピーパラメータ記憶部１２３ａは、「ＭＲＳ」グループのコピーパラメータとして、ボクセル数、ボクセルサイズ、及び関心領域を記憶する。また、例えば、コピーパラメータ記憶部１２３ａは、「Ｔａｇｇｉｎｇ」グループのコピーパラメータとして、Ｔａｇｇｉｎｇ位置を記憶する。
【００８０】
また、本実施形態では、制御部１２６は、編集画面表示部２６ａと、選択部２６ｂと、特定部１２６ｃと、表示制御部１２６ｄと、設定部２６ｅとを有する。
【００８１】
表示制御部１２６ｄは、特定部１２６ｃによって特定された撮像パラメータのうち、コピーパラメータ記憶部１２３ａによって記憶されたグループの中から操作者によって選択されたグループに属する撮像パラメータを表示部２５に表示する。
【００８２】
例えば、表示制御部１２６ｄは、入力部２４を介して、編集画面３０上で「パラメータ」ボタン３３を押す操作を操作者から受け付けた場合に、さらに、カテゴリ及びグループを指定する操作を操作者から受け付ける。そして、表示制御部１２６ｄは、操作者によって指定されたカテゴリ及びグループに対応するコピーパラメータを撮像条件記憶部２３ａから取得する。その後、表示制御部１２６ｄは、特定部１２６ｃによって特定された撮像パラメータのうち、撮像条件記憶部２３ａから取得したコピーパラメータに設定されている撮像パラメータについて、パラメータリスト４１上にパラメータ値を表示する。
【００８３】
図１２は、第２の実施形態に係る表示制御部１２６ｄによって行われる撮像パラメータの特定を示す図である。例えば、操作者によってカテゴリ「目的別」が選択され、グループ「コントラスト」が選択されたとする。この場合には、コピーパラメータは、ＴＲ、ＴＥ及びフリップ角となる。したがって、表示制御部１２６ｄは、特定部１２６ｃによって特定された撮像パラメータのうち、ＴＲ、ＴＥ及びフリップ角のパラメータ値のみをパラメータリスト４１上に表示する。例えば、図１２の上側に示すように、参照シリーズと適用シリーズとの間で、ＴＲ、スライス枚数、スライス厚、フリップ角及びＦａｔＳａｔについて、異なるパラメータ値が設定されていたとする。この場合には、表示制御部１２６ｄは、図１２の下側に示すように、ＴＲ、スライス枚数、スライス厚、フリップ角及びＦａｔＳａｔのうち、ＴＲ及びフリップ角のパラメータ値をパラメータリスト４１上に表示する。
【００８４】
なお、ここでは、表示制御部１２６ｄが、特定部１２６ｃによって特定された撮像パラメータのうち、操作者によって選択されたグループに属する撮像パラメータを表示部２５に表示する場合の例を説明したが、実施形態はこれに限られない。例えば、特定部１２６ｃが、複数の撮像パラメータのうち一部の撮像パラメータについて、参照シリーズと適用シリーズとの間で異なるパラメータ値が設定されている撮像パラメータを特定するようにしてもよい。
【００８５】
例えば、特定部１２６ｃは、入力部２４を介して、編集画面３０上で「パラメータ」ボタン３３を押す操作を操作者から受け付けた場合に、さらに、カテゴリ及びグループを指定する操作を操作者から受け付ける。そして、特定部１２６ｃは、操作者によって指定されたカテゴリ及びグループに対応するコピーパラメータを撮像条件記憶部２３ａから取得する。その後、特定部１２６ｃは、取得したコピーパラメータに設定されている撮像パラメータについて、参照シリーズと適用シリーズとの間で撮像パラメータのパラメータ値を比較し、異なるパラメータ値が設定されている撮像パラメータを特定する。この結果、表示制御部１２６ｄは、複数の撮像パラメータのうち一部の撮像パラメータのパラメータ値のみを、パラメータリスト４１上に表示することになる。
【００８６】
上述したように、第２の実施形態では、複数の撮像パラメータのうちの一部のみを対象として、参照シリーズと適用シリーズとの間で異なるパラメータ値が設定されている撮像パラメータが表示されるので、操作者が、例えば目的や機能に応じて、パラメータ値をコピーしたい撮像パラメータとコピーしたくない撮像パラメータとを効率よく指定することができる。
【００８７】
（第３の実施形態）
次に第３の実施形態について説明する。第３の実施形態では、複数の適用シリーズが選択される場合の例を説明する。この場合には、参照シリーズから複数の適用シリーズそれぞれへパラメータ値が設定される。なお、第３の実施形態に係るＭＲＩ装置の全体構成は、基本的には図１に示したものと同じであるので、図１及び２に示した構成要素と同じ機能を有する構成要素については、同じ符号を付して説明する。
【００８８】
本実施形態では、選択部２６ｂは、複数の撮像パラメータを含む撮像条件が設定された複数のシリーズの中から複数の適用シリーズを選択する。
【００８９】
図１３は、第２の実施形態に係る選択部２６ｂによって行われるシリーズ選択の一例を示す図である。例えば、図１３に示すように、本実施形態では、選択部２６ｂは、入力部２４を介して、編集画面３０上で複数のチェックボックス３１ｅをチェックする操作を受け付けた場合に、シリーズ領域３１に表示されているシリーズのうち、チェックボックス３１ｅがチェックされた各シリーズをそれぞれ適用シリーズとして選択する。
【００９０】
また、本実施形態では、特定部２６ｃは、参照シリーズと複数の適用シリーズそれぞれとの間で異なるパラメータ値が設定されている撮像パラメータを特定する。
【００９１】
具体的には、特定部２６ｃは、入力部２４を介して、編集画面３０上で「パラメータ」ボタン３３を押す操作を操作者から受け付けた場合に、撮像条件記憶部２３ａを参照して、選択部２６ｂによって選択された参照シリーズ及び複数の適用シリーズそれぞれの撮像条件を読み出す。そして、特定部２６ｃは、参照シリーズと各適用シリーズとの間で撮像パラメータのパラメータ値を比較し、異なるパラメータ値が設定されている撮像パラメータを特定する。例えば、特定部２６ｃは、２つの適用シリーズが選択されていた場合には、参照シリーズと第１の適用シリーズとの間で異なるパラメータ値が設定されている撮像パラメータと、参照シリーズと第２の適用シリーズとの間で異なるパラメータ値が設定されている撮像パラメータとをそれぞれ特定する。
【００９２】
また、本実施形態では、表示制御部２６ｄは、第１の実施形態と同様に、特定部２６ｃによって特定された撮像パラメータを表示部２５に表示する。
【００９３】
図１４は、第３の実施形態に係る表示制御部２６ｄによって行われる撮像パラメータの特定を示す図である。図１４に示すように、本実施形態では、表示制御部２６ｄは、特定部２６ｃによって参照シリーズと複数の適用シリーズそれぞれとの間で異なるパラメータ値が設定されている撮像パラメータが特定された場合に、特定部２６ｃによって特定された各撮像パラメータについて、パラメータ名と、参照シリーズのパラメータ値と、複数の適用シリーズのパラメータ値とをパラメータリスト１４１に表示する。このとき、表示制御部２６ｄは、複数の適用シリーズのうち少なくとも１つのパラメータ値が参照シリーズと異なっていた場合に、全ての適用シリーズのパラメータ値を表示する。
【００９４】
上述したように、第３の実施形態では、参照シリーズと複数の適用シリーズそれぞれとの間で異なるパラメータ値が設定されている撮像パラメータが特定されるので、操作者が、複数のシリーズを対象にして、パラメータ値をコピーしたい撮像パラメータとコピーしたくない撮像パラメータとを容易に指定することができる。
【００９５】
以上説明した少なくとも１つの実施形態によれば、操作者が、パラメータ値をコピーしたい撮像パラメータとコピーしたくない撮像パラメータとを容易に指定することができる。
【００９６】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００９７】
１００  ＭＲＩ装置
２０  計算機システム
２６  制御部
２６ｂ  選択部
２６ｃ  特定部
２６ｄ  表示制御部
【図１】
2015000133.tif 000003
【図３】
2015000133.tif 000004
【図４】
2015000133.tif 000005
【図５】
2015000133.tif 000006
【図６】
2015000133.tif 000007
【図７】
2015000133.tif 000008
【図８】
2015000133.tif 000009
【図９】
2015000133.tif 000010
【図１０】
2015000133.tif 000011
【図１１】
2015000133.tif 000012
【図１３】
2015000133.tif 000013
【図１４】
2015000133.tif 000014
【図２】
2015000133.tif 000015
【図１２】
2015000133.tif 000016